(57)【要約】      （修正有）【課題】目盛により野菜等の苗を植える間隔を同じにするための機能を持った植え付け位置指示棒を備えた草刈り鎌及び植え付け位置指示棒を提供する。【解決手段】植え付け位置指示棒を備えた草刈り鎌は、草刈り鎌１の柄２には目盛３を有し、柄２の自由位置に固定可能な指示棒４を有することを特徴とし、植え付け位置指示棒は、草刈り鎌１の柄２を挟み込む概ねＵ字状の固定部と、固定部に回動自在に固定された指示棒部と、固定部と指示棒部とを草刈り鎌１の柄２に固定する固定手段とを有することを特徴とする。【選択図】図１
0003185195.tif 000002
【実用新案登録請求の範囲】
【請求項１】
草刈り鎌１の柄２には目盛３を有し、柄２の自由位置に固定可能な指示棒４を有することを特徴とする植え付け位置指示棒を備えた草刈り鎌。
【請求項２】
草刈り鎌１の柄２を挟み込む概ねＵ字状の固定部５と、固定部５に回動自在に固定された指示棒部７と、前記固定部５と指示棒部６とを草刈り鎌１の柄２に固定する固定手段７とを有することを特徴とする植え付け位置指示棒。
【考案の詳細な説明】
【技術分野】
【０００１】  本考案は草刈り鎌に関し、より詳しくは目盛により野菜等の苗を植える間隔を同じにするための機能を持った植え付け位置指示棒を備えた草刈り鎌及び植え付け位置指示棒に関する。
【背景技術】
【０００２】  本考案の草刈り鎌に関連した先行技術として、長尺な本体に複数の植え付け作物の各々の適正な畦幅、株間、条間、及び、畦高等の植え付けデータを表示する表示域を上記本体の長さ方向に帯状に形成するとともに帯状の表示域を上記本体の幅方向に区画して上記植え付けデータの数に応じて複数本形成し、各表示域の零位置を一致させ、各表示域の先頭部に畦幅、株間、条間、及び、畦高等の植え付けデータの呼称を文字表記し、各表示域に植え付け作物における上記呼称に応じた畦幅、株間、条間、及び、畦高等の植え付けデータを実物大寸法にて作物名の絵柄によって表示して成ることを特徴とする作物メジャー（特許文献１）や、土木工事や農作業用の手道具で、該作業の過程において所要とする高さ、深さ及び長さ等における簡易計測を可能にする手段として、それぞれの手道具が備える本来の作業機能を損なわせることなく、該作業用金具を装着する道具柄の長さ方向に所定の等間隔の目盛を備え、所要の計測に用いることを特徴とする目盛付きの道具柄（特許文献２）や、農・園芸用器具等の柄の表面に、その棒の１端から他の１端の方向に目盛り設けた目盛付きの柄（特許文献３）がある。【０００３】
【特許文献１】特開２００５−１６４６１３
【特許文献２】特開平９−２９６４７３
【特許文献３】実開昭６１−５２２０２
【考案の概要】
【考案が解決しようとする課題】
【０００４】  特許文献１の作物メジャーは、長尺な本体に作物の植え付けデータを本体の長さ方向に帯状に形成している構成あり、本体が長尺であるため持ち運びや取り扱いが容易でないといった課題を有し、上付けデータを作物の絵柄により表示しているので、絵柄にない作物を植える場合には使用できないといった課題を有する。【０００５】  特許文献２の目盛付きの道具柄は、作業用の道具の柄の部分の長さ方向に、所定の等間隔の目盛を備えているのみの構成であるため、必要な位置に目印を付す場合には別に棒等の用具を必要とし、自分の指等で土に目印を付けなければならないといった課題を有する。【０００６】  特許文献３の目盛り付きの柄は、棒の１端から他の１端の方向に目盛りのみが設けられた構成であるので、特許文献２と同様に必要な位置に目印を付す場合には別に棒等の用具を必要とし、自分の指等で土に目印を付けなければならないといった課題を有する。
【課題を解決するための手段】
【０００７】  本考案の植え付け位置指示棒を備えた草刈り鎌は、草刈り鎌１の柄２には目盛３を有し、柄２の自由位置に固定可能な指示棒４を有することを特徴とする。【０００８】  本考案の植え付け位置指示棒は、草刈り鎌１の柄２を挟み込む概ねＵ字状の固定部５と、固定部５に回動自在に固定された指示棒部６と、前記固定部５と指示棒部６とを草刈り鎌１の柄２に固定する固定手段７とを有することを特徴とする。
【考案の効果】
【０００９】本考案の植え付け位置指示棒を備えた草刈り鎌は、片手で持容易に持てる程度の農具である草刈り鎌であるため、本体の長さは短かく持ち運びや取り扱いが容易であるといった効果を有し、一定間隔の目盛による表示であるためいろいろな作物を植える場合に使用できるといった効果を有する。【００１０】  又、本考案の植え付け位置指示棒を備えた草刈り鎌は、柄２の自由位置に固定可能な指示棒４を有して、指示棒４による植え付ける位置の土の表面に穴による目印を付すことができるといった効果を有する。【００１１】  さらに本考案による植え付け位置指示棒は、指示棒部６が回動自在に固定部５に固定されているので、指示棒部６を使用しない時には草刈り鎌１の柄２と水平になるように折り畳んでおけば草刈り鎌１を鎌として使用する場合にも邪魔にならないといった効果を有する。
【図面の簡単な説明】
【００１２】
【図１】：草刈り鎌の斜視図
【図２】：植え付け位置指示棒を側面から見た説明図
【図３】：植え付け位置指示棒を正面から見た説明図
【図４】：植え付け位置指示棒を折り畳んだ様子を示す図
【考案を実施するための形態】
【００１３】  以下、本考案の植え付け位置指示棒を備えた草刈り鎌及び植え付け位置指示棒について図面を参照して説明する。
【００１４】  図１は草刈り鎌の斜視図、図２は植え付け位置指示棒を側面から見た説明図、図３は植え付け位置指示棒を正面から見た説明図、図４は植え付け位置指示棒を折り畳んだ様子を示す図である。
【００１５】  本考案の植え付け位置指示棒を備えた草刈り鎌の構造は、草刈り鎌１の柄２には所定の間隔で付けられた目盛３を有し、柄２の自由な位置に固定可能な指示棒４を有している。
【００１６】  本考案の植え付け位置指示棒を備えた草刈り鎌は前記のような構成であり、これの使用方法について説明する。
【００１７】  草刈り鎌１の先端からの距離が苗を植える間隔と同じ距離になるように、指示棒４を草刈り鎌１の柄２の適当に固定手段７により固定し、最初に苗を植える畑の土の位置に目印の穴を指示棒部６により開け、最初の目印の穴の位置に草刈り鎌１の先端を置き、指示棒６の先端で畑の土の位置に次の目印の穴を開ければ良いのである。
【００１８】  以上の動作を繰り返すことにより畑の土の上には植えようとする苗の必要な間隔で目印の穴を開けることができるのである。
【００１９】  本考案の植え付け位置指示棒の構造は、草刈り鎌１の柄２を挟み込むための概ねＵ字状の固定部５と、固定部５に回動自在に固定された指示棒部６と、前記固定部５と指示棒部６とを草刈り鎌１の柄２に固定する固定手段７とを有している。
【００２０】  本考案の植え付け位置指示棒は前記のような構成であり、これの使用方法について説明する。
【００２１】  概ねＵ字状の固定部５を草刈り鎌１の柄２に通し、苗を植える間隔と同じ距離となる柄２の位置にねじ等の固定手段７により柄２の部分を挟み込んで植え付け位置指示棒を固定して使用する。
【００２２】  植え付け位置指示棒の指示棒部６は、ねじ等による固定手段７をゆるめれば草刈り鎌１の柄２の軸方向に回動自在となるため、柄２の軸と水平になるように折り畳んで固定手段７により固定すれば、指示棒部６は柄２と水平に固定されて、草刈り鎌１を草刈り鎌１として草取りをする場合に指示棒部６は邪魔にならないのである。
【００２３】  以上説明したように、本考案の植え付け位置指示棒を備えた草刈り鎌及び植え付け位置指示棒を使用すれば、野菜等の苗の植え付け間隔の目印となる穴を畑の土の上に容易に付けることが可能となり、草刈り鎌に植え付け位置指示棒を固定して状態でも草刈りを容易にできるのである。
【符号の説明】
【００２４】  １：草刈り鎌
２：柄
３：目盛
４：指示棒
５：固定部
６：指示棒部
７：固定手段
【図１】
0003185195.tif 000003
【図２】
0003185195.tif 000004
【図３】
0003185195.tif 000005
【図４】
0003185195.tif 000006